(57)【特許請求の範囲】
【請求項１】
移動ステーションとデジタルのセルラーテレコミュニケーションネットワークとの間のマルチレート接続に対するコード化モードを選択する方法において、
・移動ステーションとセルラーテレコミュニケーションネットワークとの間のエアインターフェイスの状態が変化し、モードの変更を実行する必要があるか、または、
・移動ステーションの最大送信電力レベルに到達するか、
の少なくともいずれか一方が真であるときは、そのような状況において移動ステーションがアップリンクコード化モードの判断を行うものであり、ここでは、セルラーテレコミュニケーションネットワークがコード化モードを要求し、移動ステーションはこの要求されたコード化モードを却下して、上記アップリンクコード化モードの判断を行うことを特徴とする方法。
【請求項２】
移動ステーションの観点から電力消費を減少することが好ましい請求項１に記載の方法。
【請求項３】
移動ステーションは、その最大送信電力レベルを使用する請求項２に記載の方法。
【請求項４】
新たなコード化モードのデータレートが現在のコード化モードのデータレートより低いことによってリソース消費が減少されるように新たなコード化モードを選択する請求項１ないし３のいずれかに記載の方法。
【請求項５】
移動ステーションは、現在有効な搬送フォーマットセットの搬送フォーマットで表わされたＡＭＲモードの１つを選択することが許される請求項１に記載の方法。
【請求項６】
他の状況において、ネットワークは、コード化モードについて判断を行う請求項１に記載の方法。
【請求項７】
無線ネットワークコントローラの受け入れ制御機能は、コード化モードに関する判断の少なくとも一部分を行う請求項６に記載の方法。
【請求項８】
上記方法は、
−  現在負荷レベルにおけるブロッキングの割合を推定し、そして
−  その推定された割合が規定の限界より高い場合には新たなベアラに対してデフォールトＡＭＲモードを低下する、
という段階を含む請求項７に記載の方法。
【請求項９】
無線ネットワークコントローラの負荷制御機能は、コード化モードに関する判断の少なくとも一部分を行う請求項６に記載の方法。
【請求項１０】
既存のベアラのビットレートは、新たなベアラに対する余地を作るために無線ネットワークコントローラの負荷制御機能によって減少される請求項９に記載の方法。
【請求項１１】
無線ネットワークコントローラの外部ループ負荷制御機能は、コード化モードに関する判断の少なくとも一部分を実行する請求項６に記載の方法。
【請求項１２】
アップリンク方向におけるコード化モードの制御は、ダウンリンク方向におけるコード化モードの制御とは独立している請求項１に記載の方法。
【請求項１３】
移動ステーションとテレコミュニケーションネットワークとの間でエアインターフェイスを経て通信するために複数のコード化モードを使用するセルラーテレコミュニケーションネットワークに使用される移動ステーションにおいて、
テレコミュニケーションネットワークがコード化モードを要求するように構成されており、
・移動ステーションとセルラーテレコミュニケーションネットワークとの間のエアインターフェイスの状態が変化し、モードの変更を実行する必要があるか、または、
・移動ステーションの最大送信電力レベルに到達するか、
の少なくともいずれか一方が真であるときは、そのような状況において上記移動ステーションはこの要求されたコード化モードを却下して、アップリンクコード化モードを選択するように構成されていることを特徴とする移動ステーション。
【発明の詳細な説明】
【０００１】
（技術分野）
本発明は、セルラーテレコミュニケーションシステムにおけるコード化モードの制御に係る。より詳細には、本発明は、請求項１の前文に記載の方法に係る。
【０００２】
（背景技術）
本明細書で使用する省略記号の幾つかを以下に示す。
ＡＣ：  受け入れ制御
ＡＭＲ：  適応マルチレート
ＢＳ：  ベースステーション
ＢＴＳ：  ベーストランシーバステーション
ＣＤＭＡ：  搬送波検出多重アクセス
Ｃ／Ｉ：  搬送波対干渉比
ＦＥＲ：  フレームエラー率
ＧＳＭ：  移動通信用の汎用システム
ＬＣ：  ロード制御
ＭＡＣ：  媒体アクセス制御
ＲＭ：  無線リソースマネージャー
ＲＲＣ：  無線リソース制御
ＲＲＭ：  無線リソースマネージメント
ＲＮＣ：  無線ネットワークコントローラ
ＳＨＯ：  ソフトハンドオーバー
ＴＣ：  トランスコーダ
ＴＦ：  搬送フォーマット
ＴＦＳ：  搬送フォーマットセット
ＵＥ：  ユーザ装置
ＵＭＴＳ：  ユニバーサル移動テレコミュニケーションシステム
ＵＴＲＡＮ：  ＵＭＴＳ地上無線アクセスネットワーク
ＷＣＤＭＡ：  ワイドバンドＣＤＭＡ
【０００３】
ＡＭＲの概念は、移動ステーション（ＵＥ）とネットワークとの間の接続に対してマルチレート能力を与える。ＡＭＲスピーチコーデックは、スピーチコードに対して８つの異なるビットレート（４．７５ｋｂｐｓ・・１２．２ｋｂｐｓ）を有する。高いビットレートは、スピーチクオリティを良好にするが、容量及びカバレージは低いものとなる。ＧＳＭでは、ＡＭＲ制御はリンクレベル制御で、ＢＴＳにより制御されそしてＣ／Ｉ測定をベースとする。ＧＳＭでは、コーデックモード制御はＢＴＳにおいて行われる。ダウンリンク方向の制御については、移動ステーションが、観察したＣ／Ｉを報告する。アップリンク方向の制御については、ＢＴＳがＣ／Ｉを測定する。
ＷＣＤＭＡシステムの現在の仕様は、ＡＭＲ概念の利用について改善の余地を残している。現在の仕様は、ＡＭＲ概念により送信制御を最適化する充分良好な方法を規定していない。
【０００４】
（発明の開示）
本発明の目的は、公知技術の問題を解消する方法を実現することである。
この目的は、２つ以上の移動ステーションのＡＭＲモードを一緒に制御し、そして過負荷状態にあるか又はシステムがアップリンク又はダウンリンク方向に過負荷に近い状態であるときにＡＭＲモードを調整するようにセルラーネットワークのネットワーク要素を構成することにより達成される。
本発明による方法は、方法の独立請求項の特徴部分に記載されたことを特徴とする。従属請求項は、本発明の更に別の効果的な実施形態を規定する。
本発明において、ＡＭＲ制御は、主として集中的に実行され、ＲＮＣによって好都合に制御され、そしてシステム負荷又はクオリティの測定、例えば、ＦＥＲ測定をベースとする。しかしながら、ＵＥは、ある状態においてＡＭＲモードを変更することが許されるのが好都合である。
【０００５】
（発明を実施するための最良の形態）
以下、添付図面を参照して、本発明を詳細に説明する。
Ａ．一般的な説明
本発明によれば、ＡＭＲモード制御は、主として集中的に実行される。移動ステーションは、ある状態においてＡＭＲモードを調整することが許されるのが好ましい。ＡＭＲモードは、例えば、次のやり方で変更することができる。
−  負荷が高くなり過ぎた場合には、既存のスピーチ接続のＡＭＲビットレートを下げることができる。
−  負荷が高くなり過ぎた場合には、新たにスタートするスピーチ接続のＡＭＲビットレートを低い値にセットすることができる。
−  ＡＭＲ適応判断に使用される負荷の測定は単一セルの負荷であり、そして隣接セルの負荷も考慮に入れることができる。
−  アップリンククオリティが悪過ぎる（例えば、ＦＥＲが高過ぎる）場合には、アップリンクＡＭＲモードを下げることができる。
【０００６】
ＲＮＣは、ＡＭＲモードのこれらの変更を制御するネットワーク要素であるのが好ましい。デフォールトＡＭＲビットレートは、セルベースでオペレータによりセットすることができる。アップリンク及びダウンリンクのＡＭＲモード及びそれらの制御は、完全に独立させることができる。
ＷＣＤＭＡシステムの現在の仕様によれば、トランスコーダ（ＴＣ）がコアネットワークに配置される。
ＡＭＲモード制御は、制御側ＲＮＣに配置されるのが好都合である。このＲＮＣは、コアネットワークのトランスコーダユニットにＡＭＲモード制御コマンドを送信することによりダウンリンクＡＭＲモードを制御し、そして移動ステーションにＡＭＲモード制御コマンドを送信することによりアップリンクＡＭＲモードを制御する。
【０００７】
ＲＮＣ内では、コードモード制御は、外部ループ電力制御及び／又はセルリソースマネージャーにおいて行われ、即ち受け入れ制御及び負荷制御機能において行われる。制御は、無線リソースマネージメント（ＲＲＭ）機能内で実現されるのが好ましい。ＡＭＲモード適応は、非対称的であってもよく、即ち単一の接続中にアップリンク及びダウンリンクに異なるＡＭＲモードを使用することができる。
負荷状態は、ＡＭＲモード制御の基礎であるのが好ましく、即ちダウンリンクの場合、ＢＳは、全ＢＳ送信電力を報告し、そしてアップリンクの場合に、ＢＳは、ＢＳにおける全干渉電力を測定する。ＲＮＣは、この情報に基づいてＡＭＲモード制御を実行する。又、アップリンクＦＥＲをＡＭＲモード制御に使用することができる。
【０００８】
Ｂ．制御アルゴリズムの例
ここでは、制御アルゴリズムの特定例について説明する。このアルゴリズムに基づき、ＲＮＣにおける受け入れ制御機能によりＡＭＲモードがセットされる。ここでは幾つかの例だけを取り上げるが、本発明の他の実施形態を何ら制限するものではない。
セルＲＭは、システム負荷が受け入れ制御阻止スレッシュホールドに接近するときを検出することができる。この場合に、受け入れ制御は、高い容量を与えるために新たなＡＭＲユーザに低いビットレートを割り当てる。このアルゴリズムは、セルベースで機能するのが好都合である。この実施形態では、ＡＭＲモードは、負荷を考慮するために接続中には変更されない。この実施形態に基づくアルゴリズムの適応は、若干低速であり、そして実際には、セルの負荷が限界を越えて増加した後にＡＭＲ接続のほとんどが低いビットレートをもつまでに数分を要する。この適応速度は、スピーチ接続の平均長さに依存する。それ故、この方法は、セルベースでビジー時間の自動検出を形成するよう考慮することができる。考えられる受け入れ制御アルゴリズムは、次の通りである。
【０００９】
0003571324.tif 000002
【００１０】
この手順は、アップリンク及びダウンリンクに対して別々であるのが好ましい。それ故、ダウンリンク方向の負荷が、アップリンク方向に過負荷が生じる前に過負荷付近に増加する場合には、ダウンリンク接続が、アップリンク接続よりも低いＡＭＲモードを使用することが考えられる。
上記例におけるパラメータは、次の通りである。
0003571324.tif 000003
【００１１】
Ｃ．制御アルゴリズムの更に別の例
ここでは、制御アルゴリズムの特定例について説明する。このアルゴリズムにより、ＡＭＲモードは、ＲＮＣの負荷制御機能によって変更することもできる。ここでは、幾つかの例しか示さないが、本発明の多に実施形態を何ら限定するものではない。
この実施形態では、受け入れ制御は、全てのＡＭＲユーザがそれらの最低ビットレートに変更する場合にどれほどの全負荷を減少できるかを推定する。換言すれば、新たなユーザを阻止するのではなく、受け入れ制御は、既存のＡＭＲユーザがそのビットレートを下げることができ、従って、より大勢のユーザをシステムに受け入れられると仮定する。新たなユーザは、次のような場合にアップリンク受け入れ制御によって受け入れられる。
Ｐｒｘ，ＮＣ＋ΔＰｒｘ、ｎｅｗ＜Ｐｒｘ、ｔａｒｇｅｔ                        （１）
但し、Ｐｒｘ，ＮＣは、制御不能な負荷に関する受信電力であり、ΔＰｒｘ、ｎｅｗは、新たな接続を含む受信電力であり、そしてＰｒｘ、ｔａｒｇｅｔは、受信電力のターゲット値である。
【００１２】
制御不能な負荷は、次のものからの干渉より成る。
−  セル内（イントラセル）リアルタイムユーザ；
−  最小ビットレートが保証されたセル内の非リアルタイムユーザ；及び
−  セル間（インターセル）ユーザ。
制御不能な負荷は、この特定セルのパケットスケジューラーによって影響されることがない。ＡＭＲの最小ビットレートのみが制御不能であると仮定することに注意されたい。
【数１】
0003571324.tif 000004
但し、ηは、負荷ファクタであり、Ｐｒｘ、ｔｏｔａｌは、全受信電力であり、ΔＬ＝新たなユーザからの負荷増加であり、ＬＮＲＴ＝ベストエホートパケットユーザからの負荷（ＲＮＣにおけるパケットスケジューラーから得られた）であり、そしてＬＡＭＲ＝ＡＭＲユーザのビットレートが最小値に減少される場合にＡＭＲユーザからの負荷の最大減少である。従って、この項は、ＡＭＲユーザのビットレートの融通性を表わす。ＡＭＲユーザの現在ビットレートは、セルリソースマネージャーのテーブルに保持されるのが好ましい。
【数２】
0003571324.tif 000005
但し、Ｗ＝チップレートであり、
ρｉ，ｕｓｅｄ＝使用されたＡＭＲビットレートに対するＥｂ／Ｎ０であり、
ρｉ，ｍｉｎｉｍｕｍ＝最小ＡＭＲビットレートに対するＥｂ／Ｎ０であり、
Ｒｉ，ｕｓｅｄ＝使用されたＡＭＲビットレートであり、そして
Ｒｉ，ｍｉｎｉｍｕｍ＝最小ＡＭＲビットレート＝’ＡＭＲ＿ｍｉｎ＿ｍｏｄｅ’である。
【００１３】
この変更された受け入れ制御を実施するために、次のことを行う必要がある。  −  ＡＭＲユーザの現在ビットレート（＝Ｒｉ，ｕｓｅｄ）を得；
−  ＡＭＲユーザの最小許容ビットレート（＝Ｒｉ，ｍｉｎｉｍｕｍ＝’ＡＭＲ＿ｍｉｎ＿ｍｏｄｅ’）を得；そして
−  ＬＡＭＲを計算する。
ダウンリンク受け入れ制御では、アップリンクの場合と同様の原理を適用することができる。
受け入れ制御が、ＡＭＲビットレートを下げられると仮定する場合には、そのオプションを負荷制御によってサポートしなければならない。負荷制御では、過負荷の場合にＡＭＲビットレートを低下することが極めて簡単である。しかしながら、ＳＨＯの場合に、ＡＭＲビットレートを増加できるときを決定することは困難である。ＳＨＯにおいて、負荷制御は、ＡＭＲビットレートを増加する前に全てのＳＨＯブランチで負荷をチェックしなければならない。これは、隣接セルのセルＲＭ間にシグナリングが存在することを必要とする。このシグナリングは、ＲＮＣに対して追加の負荷を生じさせ、従って、望ましくない。
【００１４】
１つの簡単な解決策は、ここでは、負荷制御がＡＭＲビットレートを減少するだけであって、接続中にそれらを決して増加しないことである。この解決策は、ＳＨＯブランチのセル無線リソースマネージャー（ＲＭ）間にシグナリングを必要としない。
別の簡単な形態では、各ＡＭＲ接続は、１つのセルのＲＭのリストだけに保持される。これは、ＳＨＯユーザの取り扱いを容易にする。従って、負荷制御アルゴリズムは、そのセルにリストされたユーザのＡＭＲモードにしか影響しない。他のＡＭＲユーザは、このセルの観点から制御不能なトラフィックとして見える。又、受け入れ制御は、そのセルにより制御できるＡＭＲユーザしか考慮することができない。ソフトハンドオーバーのオーバーヘッドが３０％であると仮定すれば、この簡単な解決策では、１／１．３＝７７％のＡＭＲモードを変更することができる。従って、残りのＡＭＲユーザ（２３％）は、制御不能なユーザである。
ここで、ＲＮＣのセルリソースマネージャーが、その特定セルにおけるＡＭＲユーザのビットレートのリストを保持すると仮定する。このリストは、受け入れ制御及び負荷制御アルゴリズムに使用することができる。
【００１５】
アップリンク負荷制御スレッシュホールドが図３に示されている。リアルタイムサービスの場合、システムがアップリンク方向に過負荷であるときの好ましいアクションは、次の通りである。
ＰｒｘＴｏｔａｌ ＞ ＰｒｘＴａｒｇｅｔ ＋ ＰｒｘＯｆｆｓｅｔ： 外部ループセットポイントを凍結する。
ＰｒｘＴｏｔａｌ ＞ ＰｒｘＴｈｒｅｓｈｏｌｄ： 外部ループセットポイントを下げて、制御されたドロッピングをスタートする。
ここで、ＰｒｘＴｏｔａｌは、Ｐｒｘ，ｔｏｔａｌであり、ＰｒｘＴａｒｇｅｔは、Ｐｒｘ，ｔａｒｇｅｔである。トリガースレッシュホールドＰｒｘＯｆｆｓｅｔ及びＰｒｘＴａｒｇｅｔについては、図３を参照されたい。
ダウンリンク方向には：
ＰｔｘＴｏｔａｌ ＞ ＰｔｘＴａｒｇｅｔ ＋ ＰｔｘＯｆｆｓｅｔ： アクションなし。
ＰｔｘＴｏｔａｌ ＞ ＰｔｘＴｈｒｅｓｈｏｌｄ： 制御されたドロッピングをスタートする。
ここで、ＰｔｘＴｏｔａｌは、全送信電力であり、そしてＰｔｘＴａｒｇｅｔは、送信電力のターゲット値である。ＰｔｘＴａｒｇｅｔ及びＰｔｘｏｆｆｓｅｔは、トリガースレッシュホールドである。
マルチレート接続を使用するときには、過負荷がないときに最も高いビットレートを使用することができる。過負荷の場合には、負荷制御アクションは、次のようになる。
アップリンクにおいて：
ＰｒｘＮＣ ＞ ＰｒｘＴａｒｇｅｔ ＋ ＰｒｘＯｆｆｓｅｔ： ＡＭＲビットレートを下げる
ＰｒｘＮＣ ＜ ＰｒｘＴａｒｇｅｔ： ＡＭＲビットレートを上げる
【００１６】
ダウンリンクにおいて：
ＰｔｘＮＣ ＞ ＰｔｘＴａｒｇｅｔ ＋ ＰｔｘＯｆｆｓｅｔ： ＡＭＲビットレートを下げる
ＰｔｘＮＣ ＜ ＰｔｘＴａｒｇｅｔ： ＡＭＲビットレートを上げる
但し、ＰｒｘＮＣ及びＰｔｘＮＣは、制御不能な負荷に関する受信／送信電力である。その考え方は、過負荷状態において終了する前にＡＭＲビットレートを下げることである。ＰｒｘＴａｒｇｅｔ ＋ ＰｒｘＯｆｆｓｅｔとＰｒｘＴａｒｇｅｔとの間の余裕は、モード間の不必要なジャンピングを防止するのに必要なヒステリシスである。
ＡＭＲビットレートは、次のスピーチユーザから最初に減少される。
−  アップリンクでは、最高の負荷ファクタを有するユーザ；及び
−  ダウンリンクでは、接続当り最高の送信電力を有するユーザ。
これらスピーチユーザは、最も高い干渉を生じさせるユーザである。
【００１７】
Ｄ．制御アルゴリズムの更に別の例
ここでは、制御アルゴリズムの特定例について説明する。このアルゴリズムによれば、ＡＭＲモードは、ＲＮＣにおける外部ループ負荷制御機能によって変更することもできる。ここでは、幾つかの例だけを取り上げるが、本発明の他の実施形態も何ら限定されるものではない。
あるリンクは、たとえシステムが過負荷状態でなくても、カバレージの理由で悪いクオリティを受けることが考えられる。１つの可能性は、移動ステーションが、電力不足で動作する場合に、ネットワークコマンドを伴わずにそのアップリンクモードを変更させることである。これは、標準化によりサポートする必要がある。この特徴が全ての移動ステーションにある場合には、ＡＭＲによるカバレージの拡張は、全ての製造者のＷＣＤＭＡネットワークにおいて得られ、区別ファクタとして使用することはできない。
【００１８】
常にネットワークがアップリンクＡＭＲモードを決定する必要がある場合には、アップリンクの外部電力ループ制御が、アップリンクカバレージを改善するためにＡＭＲビットレートを低下するよう求めることが必要である。外部ループの電力制御のアクションが図４に示されている。アップリンク接続は、電力制御コマンドに従うに充分な電力が移動ステーションにありそしてアップリンクに過負荷がない場合に、常に必要なＦＥＲを得ることに注意されたい。
外部ループの電力制御アルゴリズムは、例えば、次の通りである。
0003571324.tif 000006
【００１９】
外部ループＰＣは、それが制御する接続の現在ＡＭＲビットレートのリストを保持しなければならないことに注意されたい。
上記例のパラメータは、次の通りである。
0003571324.tif 000007
これらパラメータの値は、ＡＭＲスピーチコーデックのＭＯＳ（平均判断スコア）対ＦＥＲ特性に基づいて最適化する必要がある。この最適化は、例えば、Ｌ１に対する選択された不等エラー保護に依存する。又、オペレータは、アップリンクＡＭＲ適応により与えられる範囲の拡張をサポートするように、ダウンリンクスピーチ接続当りの最大電力もセットしなければならない。
【００２０】
Ｄ．ＡＭＲモードコマンドのシグナリング
ＡＭＲモードコマンドのシグナリングは、インバンド及びアウトバンドの種々のやり方で実行することができる。本発明のある効果的な実施形態に基づきＡＭＲモードをシグナリングする幾つかの方法を以下に説明する。
本発明の更に別の効果的な実施形態において、インバンドシグナリングは、ＡＭＲモード制御に使用される。この実施形態では、使用されるべき新たなＡＭＲモードに関する情報がユーザデータと共にエンコーダに送信される。
ＡＭＲモード制御メッセージをユーザデータに結合することは、ＭＡＣ層において好都合に実行することができる。
インバンドシグナリングは、幾つかの効果を有する。例えば、ＲＮＣ及びトランスコーダにおけるＲＲＣ機能間に個別のシグナリング手順を形成する必要はない。更に、インバンドシグナリングは、ＡＭＲモードを変更する迅速な方法を与える。又、インバンドシグナリングは、現在のＧＳＭシステムでもサポートされる。
【００２１】
アウトバンドシグナリングが使用される場合には、ＡＭＲモードコマンドが個別のシグナリングメッセージにおいて送信される。このシグナリングは、例えば、ＲＲＣ層を用いて行うことができる。ＲＲＣ層を使用してダウンリンクＡＭＲモードを適応させるには、コアネットワークのトランスコーダとＲＮＣとの間に新たなシグナリング手順を必要とする。アップリンクＡＭＲモード制御に対して既存のシグナリング手順を使用することができる。アップリンクＡＭＲモード制御に使用することのできる手順の一例は、「搬送チャンネル再コンフィギュレーション」手順である。
アウトバンドシグナリングは、幾つかの効果を有する。例えば、アウトバンドシグナリングを使用するときには、ＡＭＲモードコマンドの発生はＭＡＣ層において必要とされない。更に、ユーザ平面においてシグナリング情報を送信すると、複雑さが増加する。というのは、ユーザ平面は、ユーザデータのみに使用されるものだからである。アップリンク方向については、既に定義されたＲＲＣ手順を使用することができる。
【００２２】
Ｅ．効果的な実施形態の更なるクラス
本発明の効果的実施形態の更なるクラスにおいて、ＵＥは、ある状態においてＡＭＲモードを制御することが許される。例えば、エアインターフェイスの状態が変化したときにＵＥがＡＭＲモードを変更できれば好都合であり、そしてＡＭＲモードの変更は、スピーチ接続に適切なクオリティをセーブするために迅速に実行される必要がある。
１つの効果的な実施形態では、ＵＥは、ＵＥの最大送信電力レベルに到達した場合にアップリンクＡＭＲモードを変更することが許される。ＵＥは、送信電力を何ら増加できないので、ＵＥは、無線インターフェイス状態が悪化するときに低いスピーチデータレートを与えるＡＭＲモードに切り換わることによりスピーチ接続のクオリティを維持することができる。ＵＥは、ＲＮＣからモード変更を要求することを必要としないのが好ましい。
【００２３】
ＵＥが変更を許されるところのＡＭＲモードのセットは、現在有効な搬送フォーマットセットの搬送フォーマットで表わされたＡＭＲモードより成る。
搬送フォーマットセットは、ネットワークによって決定され、そしてネットワークによりＵＥに指定されるので、ネットワークは、適用可能なＡＭＲモードの選択に対して限界を設定することができる。ネットワークは、ＵＥによりユーザデータと共に送信されたレート情報から、ＵＥにより使用されるＡＭＲモードを発見する。
搬送フォーマット（ＴＦ）は、エアインターフェイスを経て送信するためのペイロードデータ流を準備する１つの方法に対応するパラメータのセットである。このパラメータのセットは、例えば、ペイロードデータレート、使用するエラー制御コード化方法、使用するインターリーブ方法、及び特定のセルラーテレコミュニケーションネットワークに使用される他の処理方法を指示し、即ち送信されるべきデータに適用される物理層の処理を記述する。その結果、各ＴＦは、特定の瞬間のベアラビットレートに対応する。更に、各ベアラは、少なくとも１つの搬送フォーマットを有する。例えば、多数のビットレートをサポートするベアラの場合には、ベアラが２つ以上の対応するＴＦをもつことができる。
【００２４】
各搬送フォーマットは、それに対応する搬送フォーマット識別子（ＴＦＩＤ）を有する。ＴＦＩＤは、多数の方法でＴＦに指定することができ、例えば、最低ビットレートからスタートして増加する順に又は他の何らかの規定のルールに基づいて指定することができる。
アクティブなベアラの搬送フォーマットの組合せは、「搬送フォーマット組合せ（ＴＦＣ）」である。全ての考えられる搬送フォーマット組合せのセットが、「搬送フォーマット組合せセット（ＴＦＣＳ）」を形成する。各ＴＦＣは、それに対応する搬送フォーマット組合せ識別子（ＴＦＣＩ）」を有し、即ち各ＴＦＣＩは、搬送フォーマットの限定グループに対応する。ＴＦＣＩは、搬送フォーマットの現在組合せを受信器に通知するのに使用される。
ＵＥがＡＭＲモードを変更するメカニズムは、スピーチ接続のカバレージエリアを拡張するように好都合に使用することができる。ＵＥが送信電力を何ら増加できない場合には、ＡＭＲモードを、より低いデータレートを与えるモードに切り換えることができ、これにより、たとえＵＥがベースステーションから更に離れて移動してもスピーチ接続のクオリティを維持することができる。
【００２５】
本発明の効果的な実施形態では、デジタルセルラーテレコミュニケーションシステムにおいてＵＥとネットワークとの間のマルチレート接続に対してコード法を選択するための方法が提供される。この実施形態によれば、ある環境では、ＵＥがコード法を選択し、そして他の環境では、ネットワークがコード法を選択する。ネットワークにおけるコード法の選択は、無線ネットワークコントローラによって行われるのが好ましい。ＵＥは、それが最大送信電力を使用する場合にコード法を選択するのが好都合である。
本発明の更に別の効果的な実施形態では、セルラーネットワークへのマルチレート接続を有するＵＥにより観察されるセルの見掛け上の半径を増加する方法が提供される。この実施形態によれば、ＵＥの接続に使用されるコード法は、ＵＥの送信電力及び少なくとも１つのセルの負荷により制御される。ＵＥにより使用されるコード法は、無線インターフェイスのクオリティが低下しそしてＵＥがその最大送信電力を使用する場合に、変更されるのが好ましい。ＵＥがコード法を選択するのが好都合である。
【００２６】
Ｆ．更に別の考慮事項
本発明の更に別の実施形態では、ＡＭＲモードの変更が、搬送フォーマットの変更と結合される。
本発明は、接続のカバレージエリアを増加し、そして接続の容量及びクオリティを高めることができるようにする。
無線ネットワークコントローラのような所与の機能的エンティティの名前は、異なるセルラーテレコミュニケーションシステムにおいてしばしば異なる。例えば、ＧＳＭシステムでは、無線ネットワークコントローラ（ＲＮＣ）に対応する機能的エンティティは、ベースステーションコントローラ（ＢＳＣ）である。それ故、請求の範囲における「無線ネットワークコントローラ」という用語は、特定のセルラーテレコミュニケーションシステムにおけるエンティティに使用される用語に関わりなく全ての対応する機能的エンティティを網羅するものとする。更に、「ＡＭＲモードコマンド」メッセージ名のような種々のメッセージ名は、例示に過ぎず、本発明は、この明細書に取り上げたメッセージ名の使用に限定されるものではない。
【００２７】
本発明は、現在開発中の第３世代セルラーネットワークのような多数の異なるセルラーネットワークに使用することができる。例えば、本発明は、ＷＣＤＭＡシステムに使用することができる。
以上の説明から、当業者であれば、本発明の範囲内で種々の変更がなされ得ることが明らかであろう。本発明の好ましい実施形態を詳細に説明したが、請求の範囲に規定された本発明の精神及び範囲内で多数の変更や修正がなされ得ることが明らかであろう。
【図面の簡単な説明】
【図１】本発明の効果的な実施形態に基づくＡＭＲモード制御を示す図である。
【図２】本発明の効果的な実施形態に基づくＡＭＲモード制御を詳細に示す図である。
【図３】本発明の効果的な実施形態における負荷スレッシュホールドを示す図である。
【図４】本発明の更に別の効果的な実施形態を示す図である。
【図１】
0003571324.tif 000008
【図２】
0003571324.tif 000009
【図３】
0003571324.tif 000010
【図４】
0003571324.tif 000011